(57)【要約】【課題】モーフィングを行う画像をユーザ自らが自由に選択でき、処理条件を迅速かつ容易に設定できるモーフィングカメラ及びモーフィング方法を提供する。【解決手段】ユーザは、新たに撮影する画像や既に記録されている画像を選択することができる。撮影の際には、構図補助フレームを用いて、モーフィングを行う２つの画像間で主要被写体の大きさや位置を容易に合わせられる。この構図補助フレームやモーフィング処理の基準マーカを画像と関連付けて記録することにより、ユーザはモーフィングを行う他の画像において、この記録された情報を参照して迅速かつ容易に条件設定を行うことができる。【選択図】  図２
2004363772.tif 000002
【特許請求の範囲】
【請求項１】
被写体をスルー画像として出力するとともに、撮影指示入力により撮影画像として出力する撮像手段と、
前記スルー画像又は撮影画像を表示する画像表示手段と、
撮影する主要被写体の大きさ及び位置を補助するために前記画像表示手段に構図補助フレームを表示させるフレーム表示制御手段と、
前記構図補助フレームを使用して撮影又はズーミングされた撮影画像に対してモーフィング画像生成に使用する基準マーカを設定するマーカ設定手段と、
前記基準マーカが設定された撮影画像とともに、前記設定された基準マーカを付加情報として記録する記録手段と、
前記記録手段に記録された前記基準マーカが設定された２つの撮影画像を、各撮影画像の基準マーカに基づいて合成してなるモーフィング画像を生成する画像生成手段と、
前記モーフィング画像を前記画像表示手段に表示させる手段と、
を備えることを特徴とするモーフィングカメラ。
【請求項２】
前記構図補助フレームの位置と大きさとのうち少なくとも一方を設定するフレーム設定手段をさらに備えることを特徴とする請求項１に記載のモーフィングカメラ。
【請求項３】
前記記録手段は、前記構図補助フレームを使用して撮影又はズーミングされた撮影画像とともに該構図補助フレームを付加情報として記録することを特徴とする請求項１または請求項２に記載のモーフィングカメラ。
【請求項４】
前記表示制御手段は、前記記録手段に記録されている付加情報に基づく構図補助フレームを前記表示装置に表示させることを特徴とする請求項３に記載のモーフィングカメラ。
【請求項５】
撮影画像を表示する画像表示手段上に主要被写体の大きさ及び位置を補助するための構図補助フレームを表示させ、該構図補助フレームと撮影画像の主要被写体の大きさ及び位置を相対的に調整して第１の画像を取得するステップと、
前記第１の画像に対してモーフィング処理に使用する基準マーカを設定するステップと、
前記第１の画像の取得時に使用した構図補助フレームとともに、被写体のスルー画像を前記画像表示手段上に表示させるステップと、
前記スルー画像の主要被写体の大きさ及び位置を前記構図補助フレームの大きさ及び位置に合わせて撮影し、第２の画像を取得するステップと、
前記第２の画像に対して基準マーカを設定するステップと、
前記第１の画像及び前記第２の画像を各画像に対して設定された基準マーカに基づいて合成してなるモーフィング画像を生成するステップと、
前記モーフィング画像を表示装置に表示するステップと、
を含むモーフィング方法。
【請求項６】
前記第２の画像に対して基準マーカを設定するステップは、前記第１の画像に対して設定された基準マーカおよび前記第２の画像を表示装置に表示するステップと、前記表示された基準マーカに基づいて前記第２の画像に対するモーフィング基準マーカを設定するステップとを含むことを特徴とする請求項５に記載のモーフィング方法。
【発明の詳細な説明】
【０００１】
【発明の属する技術分野】
本発明はモーフィングカメラ及びモーフィング方法に係り、特に画像をモーフィング処理して表示するモーフィングカメラに関するものである。
【０００２】
【従来の技術】
２つの静止画像を変形補完処理して中間の静止画像を作ったり、静止画像間の変形を動画再生したりするモーフィングをパーソナルコンピュータ（以下、ＰＣという）等で行うソフトウェアが知られている。これらのソフトウェアでは、ＰＣ等にデジタルカメラで撮影した画像や記録媒体に記録された画像を取り込み、その取り込んだ画像をモーフィングするようになっている。このようなソフトウェアは、モーフィングを行う際に別途画像編集ソフト等により画像の大きさや位置を調整するようになっているものが一般的である。
【０００３】
また、モーフィング処理を行う携帯型玩具が知られている（例えば、特許文献１参照）。特許文献１に記載の携帯型玩具は、モーフィング処理を行うプログラムや画像を親機から取り込むこと等によりあらかじめ用意しておき、ユーザのキー操作のタイミングや時間幅等の条件に応じて上記画像を自動的にモーフィング処理して表示するものである。
【０００４】
また、モーフィング処理によりゲームのキャラクタの様々な表情画像を生成し表示するエンタテインメント装置が知られている（例えば、特許文献２参照）。特許文献２に記載のエンタテインメント装置では、モーフィングを行うための制御点が設定されたキャラクタの表情画像をあらかじめ準備しておき、ゲームの進行やプレイヤの操作等に対応してそれらの画像をモーフィング処理することにより、全ての表情について画像を準備することなく画面に表示されるキャラクタの表情を変化させることができるようになっている。
【０００５】
【特許文献１】
特開２０００−１１５０６２号公報（図３、図１７、図１８）
【０００６】
【特許文献２】
特開２００１−３１９２４２号公報（図４、図８）
【０００７】
【発明が解決しようとする課題】
しかしながら、上述のような従来のソフトウェアでは、モーフィングを行う際にデジタルカメラからＰＣへ画像を取り込んだり、画像編集ソフトにより別途画像の大きさや位置を調整する等、モーフィング条件の設定が煩雑かつ時間を要するものとなっている。
【０００８】
また、特許文献１や特許文献２に示されるような携帯型玩具やエンタテインメント装置では、モーフィングを行う画像は製造者やサービス提供者によってあらかじめ用意されたものに限定されているため、モーフィングを行う画像をユーザ自らが選択することは困難である。
【０００９】
本発明は上記事情を鑑みてなされたものであり、モーフィングを行う画像をユーザ自らが自由に選択でき、処理条件を迅速かつ容易に設定してモーフィングを行うことができるモーフィングカメラ及びモーフィング方法を提供することを目的とする。
【００１０】
【課題を解決するための手段】
前記目的を達成するために、請求項１に係るモーフィングカメラは、被写体をスルー画像として出力するとともに、撮影指示入力により撮影画像として出力する撮像手段と、前記スルー画像又は撮影画像を表示する画像表示手段と、撮影する主要被写体の大きさ及び位置を補助するために前記画像表示手段に構図補助フレームを表示させるフレーム表示制御手段と、前記構図補助フレームを使用して撮影又はズーミングされた撮影画像に対してモーフィング画像生成に使用する基準マーカを設定するマーカ設定手段と、前記基準マーカが設定された撮影画像とともに、前記設定された基準マーカを付加情報として記録する記録手段と、前記記録手段に記録された前記基準マーカが設定された２つの撮影画像を、各撮影画像の基準マーカに基づいて合成してなるモーフィング画像を生成する画像生成手段と、前記モーフィング画像を前記画像表示手段に表示させる手段と、を備えることを特徴としている。
【００１１】
請求項１に係るモーフィングカメラでは、ユーザは自由に撮影した２つの画像同士で主要被写体の大きさや位置を迅速かつ容易に合わせてモーフィングを行い、モーフィング画像を表示することができる。
【００１２】
請求項２に係るモーフィングカメラは、請求項１に記載のモーフィングカメラにおいて、前記構図補助フレームの位置と大きさとのうち少なくとも一方を設定するフレーム設定手段をさらに備えることを特徴としている。
【００１３】
請求項２に係るモーフィングカメラでは、画像に合わせて構図フレームの大きさや位置を設定することにより、モーフィングを行う２つの画像同士で主要被写体の大きさや位置を容易に合わせることができる。
【００１４】
請求項３に係るモーフィングカメラは、請求項１または請求項２に記載のモーフィングカメラにおいて、前記記録手段は、前記構図補助フレームを使用して撮影又はズーミングされた撮影画像とともに該構図補助フレームを付加情報として記録することを特徴としている。
【００１５】
請求項３に係るモーフィングカメラでは、記録手段に記録されている画像に基づいて繰り返しモーフィングを行う場合に、モーフィングの度ごとに構図補助フレームを設定し直す必要が無い。
【００１６】
請求項４に係るモーフィングカメラは、請求項３に記載のモーフィングカメラにおいて、前記表示制御手段は、前記記録手段に記録されている付加情報に基づく構図補助フレームを前記表示装置に表示させることを特徴としている。
【００１７】
請求項４に係るモーフィングカメラでは、記録手段に記録されている画像に対して、他の画像の主要被写体の大きさや位置を構図補助フレームに基づいて容易に合わせることができる。
【００１８】
請求項５に係るモーフィング方法は、撮影画像を表示する画像表示手段上に主要被写体の大きさ及び位置を補助するための構図補助フレームを表示させ、該構図補助フレームと撮影画像の主要被写体の大きさ及び位置を相対的に調整して第１の画像を取得するステップと、前記第１の画像に対してモーフィング処理に使用する基準マーカを設定するステップと、前記第１の画像の取得時に使用した構図補助フレームとともに、被写体のスルー画像を前記画像表示手段上に表示させるステップと、前記スルー画像の主要被写体の大きさ及び位置を前記構図補助フレームの大きさ及び位置に合わせて撮影し、第２の画像を取得するステップと、前記第２の画像に対して基準マーカを設定するステップと、前記第１の画像及び前記第２の画像を各画像に対して設定された基準マーカに基づいて合成してなるモーフィング画像を生成するステップと、前記モーフィング画像を表示装置に表示するステップと、を含む。
【００１９】
請求項５に係るモーフィング方法では、自由に撮影した２つの画像同士で主要被写体の大きさや位置を迅速かつ容易に合わせてモーフィングを行い、モーフィング画像を表示することができる。
【００２０】
請求項６に係るモーフィングカメラは、請求項５に記載のモーフィング方法において、前記第２の画像に対して基準マーカを設定するステップは、前記第１の画像に対して設定された基準マーカおよび前記第２の画像を表示装置に表示するステップと、前記表示された基準マーカに基づいて前記第２の画像に対するモーフィング基準マーカを設定するステップとを含むことを特徴としている。
【００２１】
請求項６に係るモーフィング方法では、第２の画像に対する基準マーカを、第１の画像に対して設定された基準マーカに基づいて迅速かつ容易に設定することができる。
【００２２】
【発明の実施の形態】
以下、添付図面に従って、本発明に係るモーフィングカメラ及びモーフィング方法の好ましい実施の形態について詳説する。
【００２３】
図１に、本実施の形態が適用されたデジタルカメラ１０の構成を示す。デジタルカメラ１０は、中央演算装置（以下、ＣＰＵという）１２の制御により、以下に示すように画像データの取得（撮影）や画像の大きさの設定（デジタルズーム）、フレームおよびマーカの設定、モーフィング処理等を行う。
【００２４】
撮像部１４は図示しないレンズやＣＣＤ等を含み、被写体を撮影した撮影画像の画像データを出力する。撮像部１４から出力された画像データはメディアインタフェース（以下、インタフェースをＩ／Ｆという）２０を介して記録メディア２２に記録される。
【００２５】
記録メディア２２に記録された画像データは、表示制御部４２を介して液晶モニタ（以下、ＬＣＤという）１８に画像として表示される。なお、記録メディア２２は、デジタルカメラ１０に対して着脱可能に構成されている。
【００２６】
操作部１６は図示しないレリーズボタンや電源ボタン、十字キー等を含み、ユーザによる撮影や画像の選択、デジタルズーム、フレームおよびマーカ設定等の指示入力が可能に構成されている。
【００２７】
デジタルズーム処理部２４は、操作部１６を介したユーザの指示入力により、またＣＰＵ１２の制御により画像の大きさをデジタルズームにより拡大あるいは縮小する。
【００２８】
モード切替部２６は、操作部１６を介したユーザの指示入力により、またＣＰＵ１２の制御により処理モードを切り替える。処理モードは、図２に示すように画像設定モード、撮影モード、モーフィングモードからなっている。モーフィングモードは、さらにマーカ設定モードとモーフィング動作モードとからなっている。
【００２９】
フレーム生成部２８は画像の大きさを決めるための基準であるフレームを生成し、フレーム制御部３０が該フレームの位置および大きさを設定する。
【００３０】
マーカ生成部３２はモーフィング処理の基準点となるマーカを生成し、マーカ制御部３４が該マーカの位置を設定する。
【００３１】
画像合成部３６は、撮像部１４が出力する画像データに基づく画像もしくは記録メディア２２に記録されている画像データに基づく画像とフレーム、マーカを合成する。
【００３２】
画像切替部３８は、フレームやマーカを合成しない画像と合成した画像のどちらをＬＣＤ１８に表示するか設定する。
【００３３】
モーフィング処理部４０は、設定された２つの画像およびそれらの画像に対するマーカの設定に基づき、モーフィング処理した画像を生成する。
【００３４】
表示制御部４２は、撮像部１４やフレーム制御部３０、マーカ制御部３４、画像合成部３６や画像切替部３８、モーフィング処理部４０等を制御し、これらの構成要素が出力する画像やフレーム、マーカ等をＬＣＤ１８に表示する。
【００３５】
次に、本実施の形態の作用を説明する。
【００３６】
まず、デジタルカメラ１０でのモーフィング処理の概要について説明する。デジタルカメラ１０の電源が投入されると、図３に示すフローに従って処理が開始される。
【００３７】
まず、ステップ１００で処理モードを画像設定モードに設定し、ステップ１０２へ進む。ステップ１０２では、モーフィングを行う２つの画像のうち１番目の画像（以下、画像１という）を設定する。画像１は、新たに撮影する画像および既に記録メディア２２に記録されている画像から設定できる（後述）。
【００３８】
なお、記録メディア２２にはデジタルカメラ１０で撮影した画像が記録されていてもよいし、ユーザが別途取り込んだ画像が記録されていてもよい。
【００３９】
次のステップ１０４では処理モードをモーフィングモードに設定し、ステップ１０６へ進んで処理モードをモーフィングモードのうちのマーカ設定モードに設定した後にステップ１０８へ進む。
【００４０】
ステップ１０８および次のステップ１１０ではフレームの表示および設定を行う。まずステップ１０８では、図７（ａ）の例に示すように、ＬＣＤ１８に画像１（本実施の形態では人物１の画像）とフレームとを重ね合せて表示する。フレームの位置は、あらかじめ設定されている初期位置である。
【００４１】
ステップ１１０では、フレームの位置を設定する。この処理は、図７（ｂ）の例に示すように、フレームを構成する４本の線の位置を操作部１６を介したユーザの指示入力に基づいて設定する処理である。図７（ｂ）では、人物１の顔の輪郭に合わせてフレームを設定している。
【００４２】
なお、本実施の形態においてはフレームが４本の線からなる場合について説明しているが、フレームはこのような構成に限定されるものではなく、円形や楕円形、４角形等であってもよい。
【００４３】
次のステップ１１２からステップ１１６では、マーカの表示および設定を行う。まず、ステップ１１２では、図９（ａ）に示すように、ＬＣＤ１８に画像１とマーカを重ね合せて表示する。表示されるマーカの位置は、あらかじめ設定されている初期位置である。
【００４４】
ステップ１１４では、マーカの位置を設定する。この処理は、図９（ｂ）に示すように、初期位置に表示されたマーカを操作部１６を介したユーザの指示入力に基づく位置に設定する処理である。
【００４５】
次のステップ１１６では、全マーカの設定が終了したか否かを判断する。この判断は、操作部１６を介したユーザの指示入力により行うことができる。肯定されるとステップ１１８へ進み、否定されるとステップ１１２およびステップ１１４においてマーカの表示および設定を繰り返す。
【００４６】
一部のマーカ（マーカ１からマーカ６）を設定した状態が図９（ｅ）であり、全マーカ（本実施の形態ではマーカ１からマーカ１４）を設定した状態が図９（ｆ）である。各マーカは、人物１の目、鼻、口の両端および中央、顔の輪郭の上下左右に合わせて設定されている。
【００４７】
なお、本実施の形態においてはマーカの例としては星型のものを示しているが、マーカの形状はこの他円形や四角形であってもよく、また直線あるいは曲線状のマーカを用いるようにしてもよい。
【００４８】
ステップ１１８では、マーカの設定が終了した画像１について、画像とマーカおよびフレーム情報を関連付けて記録する。このように画像とマーカおよびフレーム情報を関連付けて記録しておくことで、同じ画像を用いてモーフィングを行うたびごとにマーカやフレームの設定を繰り返す必要が無い。
【００４９】
次のステップ１２０では、モーフィングを行う２つの画像のうち２番目の画像（以下、画像２という）を設定するか否かを判断する。この判断は、操作部１６を介したユーザの指示入力に基づいて行うことができる。肯定されるとステップ１２２へ進んで処理モードを画像設定モードに設定した後にステップ１２４へ進み、否定されると本処理ルーチンを終了する。
【００５０】
ステップ１２４では画像２を設定する。画像２は画像１と同様に、新たに撮影する画像および既に記録メディア２２に記録されている画像から設定できる（後述）。
【００５１】
次のステップ１２６では処理モードをモーフィングモードに設定してステップ１２８へ進み、処理モードをさらにマーカ設定モードに設定してステップ１３０へ進む。
【００５２】
ステップ１３０からステップ１３４では、画像２に対するマーカの設定を行う。まず、ステップ１３０において、図１０（ｂ）に示すように画像２（本実施の形態では人物２の画像）と、画像１に対して設定されているマーカとを重ね合せて表示する。
【００５３】
ステップ１３０では画像１に対して設定されているマーカが表示されるので、マーカが画像２に対して適切に設定されていない場合がある。そこで、ステップ１３２で、画像２に対してマーカの位置を設定する。この処理は、操作部１６を介したユーザの指示入力に基づいて行うことができる。
【００５４】
マーカの位置を設定すると、ステップ１３４において全マーカの位置を設定したか否かを判断する。肯定されるとステップ１３６へ進み、否定されるとステップ１３２へ戻ってマーカの設定を繰り返す。
【００５５】
画像２に対して一部のマーカ（マーカ１〜マーカ３）を設定した状態が図１０（ｃ）であり、全マーカ（マーカ１〜マーカ１４）を設定した状態が図１０（ｆ）である。各マーカは、人物２の目、鼻、口の両端および中央、顔の輪郭の上下左右に合わせて設定されている。
【００５６】
ステップ１３６ではマーカの設定が終了した画像２について、画像とマーカ情報を関連付けて記録し、ステップ１３８へ進んで処理モードをモーフィング動作モードに設定する。
【００５７】
ステップ１４０では、画像１、画像２、およびこれらの画像について設定されたマーカ情報を基にモーフィング画像を生成する。なお、マーカ情報に基づくモーフィング画像の生成は、従来から知られている手法により行うことができる。
【００５８】
次のステップ１４２では、上記ステップ１４０で生成したモーフィング画像をＬＣＤ１８に表示する（図１１参照）。なお、図１１では画像１および画像２の合成比率をそれぞれ５０％としたモーフィング画像を表示する場合について示しているが、画像１および画像２の合成比率は５０％に限定されるものではなく、異なる比率で合成したモーフィング画像を表示するようにしてもよい。
【００５９】
また、異なる比率で合成したモーフィング画像を複数生成しておくことにより、それら複数の画像を動画として連続的に再生表示することができる。このようなモーフィング画像の表示は、図１２の例に示すように、画像１（図１２（ａ））から開始して中間状態（図１２（ｂ）〜（ｆ））を経て画像２（図１２（ｇ））に至るように表示（白い矢印の方向）するようにしてもよいし、画像２から開始して画像１に至るように表示（黒い矢印の方向）してもよい。これらの表示は、ユーザがＬＣＤ１８上に表示される再生開始ボタンＡ１や再生開始ボタンＡ２、スクロールバーＢ、再生停止ボタンＣ等を操作部１６を介して操作することにより、繰り返し自由に行うことができる。
【００６０】
次のステップ１４４では、モーフィング情報を記録するか否かを判断する。肯定されるとステップ１４６へ進んで画像１、画像２およびモーフィング情報を記録した後に本処理ルーチンを終了する。なお、モーフィング情報とは、モーフィングを行う画像がどの画像であるか（本実施の形態では画像１および画像２）を示す情報、およびそれらの画像からモーフィングを行うための情報を含む。
【００６１】
このようにモーフィング情報を記録しておくことにより、モーフィングにより生成された画像を保存することなしに繰り返しモーフィングを行うことができ、またその際に画像やマーカ等の設定時間を省略できる。
【００６２】
一方、ステップ１４４で判断が否定されるとステップ１４８へ進み、画像を再設定するか否かを判断する。この判断は、操作部１６を介したユーザの支持入力に基づいて行うことができる。肯定されるとステップ１５０へ進む。
【００６３】
ステップ１５０では、画像１を再設定するか否かを判断する。肯定されるとステップ１００へ戻って処理モードを画像設定モードに設定した後に画像１を設定し（ステップ１０２）、否定されるとステップ１２２へ戻って処理モードを画像設定モードに設定した後に画像２を設定する（ステップ１２４）。
【００６４】
一方、ステップ１４８において判断が否定されると、モーフィング情報を記録せずに本処理ルーチンを終了する。
【００６５】
次に、上述の処理ルーチンのステップ１０２における画像１設定処理の詳細を図４を参照して説明する。
【００６６】
まず、ステップ２００で、画像１として撮影画像を選択するか否かを判断する。この判断は、操作部１６を介したユーザの指示入力に基づいて行うことができる。肯定されるとステップ２０２へ進んで処理モードを撮影モードに設定した後にステップ２０４へ進み、否定されるとステップ２０６へ進んで既に記録されている画像の中からユーザの指示入力に基づいて画像を選択した後にステップ２０８へ進む。
【００６７】
ステップ２０４では撮影を行って撮影画像の画像データを取得する。
【００６８】
ステップ２０８ではＬＣＤ１８に画像を表示する。ステップ２０４の撮影処理が行われた場合は撮影画像が、ステップ２０６において記録済み画像が選択された場合は当該選択された画像が表示される。
【００６９】
次のステップ２１０では、画像１を再選択するか否かを判断する。この判断は操作部１６を介したユーザの指示入力に基づいて行うことができる。肯定されるとステップ２００へ戻り、否定されるとステップ２１２へ進む。
【００７０】
ステップ２１２では、画像の大きさを調整するか否かを判断する。肯定されるとステップ２１４へ進んで図６の例に示すようにユーザの指示入力に基づきデジタルズームにより画像の大きさを調整した後に本処理ルーチンを終了してリターンし、否定されると画像の大きさを調整せずに本処理ルーチンを終了してリターンする。
【００７１】
次に、上述の処理ルーチンのステップ１２４における画像２設定処理の詳細を図５を参照して説明する。
【００７２】
まず、ステップ３００で、画像２として撮影画像を選択するか否かを判断する。この判断は、操作部１６を介したユーザの指示入力に基づいて行うことができる。肯定されるとステップ３０２へ進んで処理モードを撮影モードに設定した後にステップ３０４へ進み、否定されるとステップ３１０へ進んで既に記録されている画像の中からユーザの指示入力に基づいて画像を選択した後にステップ３１２へ進む。
【００７３】
ステップ３０４では、図８（ａ）に示すようにＬＣＤ１８に画像（本実施の形態では人物２）およびフレームを表示する。表示されるフレームは、画像１（本実施の形態では人物１）に対して設定されたフレームである。フレームを表示することにより、ユーザは撮影に際して画像１と画像２の大きさを容易に合わせることができる。
【００７４】
次のステップ３０６では、ユーザの指示入力に基づいて撮影条件を設定する。この指示入力は、図８（ｂ）に示すように、デジタルズームによる画像の大きさの調整を含んでいてよい。
【００７５】
ステップ３０８では上記ステップ３０６で設定された撮影条件に基づいて撮影を行い、ステップ３１４へ進む。
【００７６】
ステップ３１２では、画像およびフレームをＬＣＤ１８に表示する。ステップ３０８において撮影処理が行われた場合は撮影画像が、ステップ３１０において記録済み画像が選択された場合は当該選択された画像が表示される。
【００７７】
次のステップ３１４では、画像２を再選択するか否かを判断する。この判断は操作部１６を介したユーザの指示入力に基づいて行うことができる。肯定されるとステップ３００へ戻り、否定されるとステップ３１６へ進む。
【００７８】
ステップ３１６では、画像の大きさを調整するか否かを判断する。肯定されるとステップ３１８へ進んで画像１の場合と同様に（図６参照）ユーザの指示入力に基づきデジタルズームにより画像の大きさを調整した後に本処理ルーチンを設定してリターンし、否定されると画像の大きさを調整せずに本処理ルーチンを終了してリターンする。
【００７９】
なお、本実施の形態では、画像２を撮影する際に画像１に対して設定されたフレームを表示する場合について説明しているが、画像１を撮影する際にあらかじめ定められたフレームを表示するようにしてもよい。
【００８０】
また、本実施の形態では、被写体が画像１と画像２とで異なる人物の場合について説明しているが、本発明に係るモーフィングカメラ及びモーフィング方法では画像１と画像２とで人物が同じであってもよい。例えば、怒った顔と笑った顔のように、同じ人物の表情が異なる画像を設定してモーフィング画像を生成するようにしてもよい。
【００８１】
また、本実施の形態では人物の画像についてモーフィングを行う場合について説明しているが、本発明に係るモーフィングカメラ及びモーフィング方法ではモーフィングを行う画像は人物に限定されるものではなく、２つの画像の一方あるいは両方を人物以外の画像としてもよい。このように、デジタルカメラ１０ではユーザは様々な画像についてモーフィングを行い、モーフィング画像を楽しむことができる。
【００８２】
以上説明したように、本実施の形態が適用されたデジタルカメラ１０では、既に記録されている画像および新たに撮影する画像の内からモーフィングを行う２つの画像を自由に設定でき、またフレームやマーカ、デジタルズーム等を用いてモーフィング条件を迅速かつ容易に設定できる。また、フレームやマーカの設定、モーフィング情報が画像と関連付けて記録されるので、モーフィングを行うたびごとに条件を設定し直す必要が無い。
【００８３】
このように、デジタルカメラ１０では、ユーザはモーフィングを行う画像を自由に設定でき、モーフィング条件を迅速かつ容易に設定できる。
【００８４】
【発明の効果】
以上説明したように、本発明によれば、モーフィングを行う画像をユーザが自由に選択でき、処理条件を迅速かつ容易に設定してモーフィングを行うことができる。
【図面の簡単な説明】
【図１】本発明の一の実施の形態に係るデジタルカメラの構成図である。
【図２】本発明の一の実施の形態に係り、デジタルカメラの処理モードを示す図である。
【図３】本発明の一の実施の形態に係り、モーフィング処理の概要を示すフローチャートである。
【図４】本発明の一の実施の形態に係り、画像１設定処理を示すフローチャートである。
【図５】本発明の一の実施の形態に係り、画像２設定処理を示すフローチャートである。
【図６】本発明の一の実施の形態に係り、画像の大きさ調整を示すイメージ図である。
【図７】本発明の一の実施の形態に係り、フレームの位置設定を示すイメージ図である。
【図８】本発明の一の実施の形態に係り、フレームを用いた画像の大きさ調整を示すイメージ図である。
【図９】本発明の一の実施の形態に係り、画像１に対するマーカ設定を示すイメージ図である。
【図１０】本発明の一の実施の形態に係り、画像２に対するマーカ設定を示すイメージ図である。
【図１１】本発明の一の実施の形態に係り、モーフィング画像の表示例を示す図である。
【図１２】本発明の一の実施の形態に係り、モーフィング画像の他の表示例を示す図である。
【符号の説明】
１０・・・デジタルカメラ、１４・・・撮像部、１８・・・ＬＣＤ、２４・・・デジタルズーム処理部、２８・・・フレーム発生部、３０・・・フレーム制御部、３２・・・マーカ発生部、３４・・・マーカ制御部、３６・・・画像合成処理部、４０・・・モーフィング処理部、４２・・・表示制御部、Ａ１、Ａ２・・・再生開始ボタン、Ｂ・・・スクロールバー、Ｃ・・・再生停止ボタン
【図１】
2004363772.tif 000003
【図２】
2004363772.tif 000004
【図３】
2004363772.tif 000005
【図４】
2004363772.tif 000006
【図５】
2004363772.tif 000007
【図６】
2004363772.tif 000008
【図７】
2004363772.tif 000009
【図８】
2004363772.tif 000010
【図９】
2004363772.tif 000011
【図１０】
2004363772.tif 000012
【図１１】
2004363772.tif 000013
【図１２】
2004363772.tif 000014